(57)【要約】      （修正有）【課題】虫を効率よく捕集できる光誘引式捕虫器を提供する。【解決手段】捕虫器は、筒型のハウジング１を有しており、ハウジング１の内部は、仕切り板４，５を介して飛来室６と中間室７と捕集室８とに区分されている。隣り合った室は隘路状の連通穴１０，１１で繋がっており、ハウジング１の内部空間は、全体としてジグザグ状等のトラップ通路になっている。各室６，７，８にＬＥＤランプ１７〜２２が配置されており、ランプ１７〜２２は、例えば奥部に向けて順番に点灯するように制御される。この光の誘引作用により、飛来室６に入り込んだ虫Ｍを捕集室８に効率よく導くことができる。ＬＥＤランプの呼び寄せ機能によって虫の誘導路を形成すると、捕虫効果を一層向上できる。【選択図】図２
2019004827.tif 000002
【特許請求の範囲】
【請求項１】
光に寄せられて飛来した虫が入り込む内部空間を有するハウジングと、前記内部空間の奥部に配置されていて虫の死骸を溜める捕集体とを有しており、前記内部空間に、当該内部空間の奥部に向けて虫を誘導する複数個のランプが、点灯順序又は照度を変更できる状態で配置されている、
捕虫器。
【請求項２】
前記内部空間は、虫が後戻りしにくいトラップ通路になっている、
請求項１に記載した捕虫器。
【請求項３】
前記内部空間は、虫が入り込む飛来室と、虫が前記飛来室から方向変換して入り込む中間室と、虫が前記中間室から方向変換して入り込む捕集室とを有していて全体としてジグザグ状になっており、各室に設けたランプが、飛来室から捕集室に向けて順番に点灯されるように制御される、
請求項１又は２に記載した捕虫器。
【請求項４】
前記ハウジングは、透明又は半透明若しくは透光性の樹脂製である、
請求項１〜３のうちのいずれかに記載した捕虫器。
【請求項５】
前記ランプの電源装置として前記ハウジングとは別体の太陽光パネルを備えており、前記太陽光パネルとハウジングとが電源ケーブルで接続されている、
請求項１〜４のうちのいずれかに記載した捕虫器。
【発明の詳細な説明】
【技術分野】
【０００１】
本願発明は、ランプの光で虫を誘引し捕集する捕虫器に関するものである。
【背景技術】
【０００２】
羽根を持つ虫をランプで誘引して捕集することは、古くから行われている。虫は一般に紫外線に寄ってくる性質があるため、ＬＥＤで紫外線を発光して、虫を効率よくおびき寄せることも行われている。
【０００３】
光で誘引する捕虫器においては、誘引した虫を逃がすことなく捕獲することが重要であり、この方法としては、高電圧で死滅させたり、ファンで吸引したり、粘着テープを配置してこれに捕集したりといったことが行われている。
【０００４】
しかし、高電圧やファンを使用する方法は、特別の電源が必要である問題や大型化する問題があって家庭で簡易に使用できるとはいい難い。他方、粘着テープを使用する方法では、粘着テープの交換に手間がかかる問題や、風に弱いといった問題がある。
【０００５】
そこで、捕虫器に虫の通路を形成して、虫を通路の奥に導くことによって虫の捕獲効率を高めることが提案されている。その例として特許文献１には、ＬＥＤランプを螺旋状に配置して虫を通路の奥に誘導することが開示されており、また、特許文献２には、捕虫器の内部空間を迷路状の捕獲空間に形成して、捕獲空間の少なくとも一部に透光性を持たせることにより、虫を捕獲空間の奥部に誘導させようとする捕虫器が開示されている。
【先行技術文献】
【特許文献】
【０００６】
【特許文献１】特許第５０９５２２７号公報
【特許文献２】特開２０１０−４７７１号公報
【発明の概要】
【発明が解決しようとする課題】
【０００７】
特許文献１は、ＬＥＤランプで案内通路を形成しようというものであるが、虫にとっては近くにあるランプの光が強く感じるため、虫がランプの並びに誘われて通路の奥に誘導されるか否か疑問である。すなわち、ランプが並んでいても、遠くのランプの光は弱いため、ランプ群によって虫の誘導効果を十分に発揮できるか否か疑問である。
【０００８】
特許文献２も同様であり、仮に迷路の全体が透光性を有する場合、迷路の位置によってランプとの距離が変化して光は強くなったり弱くなったり変化するため、虫は、光が強く感じるところに留まる傾向を呈してそれ以上進まなくなることも考えられる。従って、特許文献２も、虫を効率よく誘導できるか否か不明であると解される。
【０００９】
本願発明はこのような現状を改善すべく成されたものであり、コンパクトで捕集効果の高い捕虫器を提供せんとするものである。
【課題を解決するための手段】
【００１０】
本願発明は各請求項で特定されている。このうち請求項１の発明は、光に寄せられて飛来した虫が入り込む内部空間を有するハウジングと、前記内部空間の奥部に配置されていて虫の死骸を溜める捕集体とを有しており、前記内部空間に、当該内部空間の奥部に向けて虫を誘導する複数個のランプが、点灯順序又は照度を変更できる状態で配置されている。
【００１１】
請求項２の発明は、請求項１において、前記内部空間は、虫が後戻りしにくいトラップ通路になっている。トラップ通路の例として、ジグザグ状（或いは迷路状）の態様や、隘路を有する態様、蛇行した態様などがある。これらを組み合わせることも可能であり、隘路状の形態の場合は、奥部に向けて窄まった漏斗状の形態を採用できる。
【００１２】
請求項３の発明は、請求項１又は２において、前記内部空間は、虫が入り込む飛来室と、虫が前記飛来室から方向変換して入り込む中間室と、虫が前記中間室から方向変換して入り込む捕集室とを有していて全体としてジグザグ状になっており、各室に設けたランプが、飛来室から捕集室に向けて順番に点灯されるように制御される。
【００１３】
請求項４の発明は、請求項１〜３のうちのいずれかにおいて、前記ハウジングは、透明又は半透明若しくは透光性の樹脂製になっている。また、請求項５の発明は、請求項１〜４のうちのいずれかにおいて、前記ランプの電源装置として前記ハウジングとは別体の太陽光パネルを備えており、前記太陽光パネルとハウジングとが電源ケーブルで接続されている。
【発明の効果】
【００１４】
本願発明では、ランプの点灯順序や照度を制御することにより、虫を内部空間の奥部に効率よく誘導することができる。ランプの点灯制御や照度制御の態様は様々であり、請求項３では、３つの室を有する場合において、ランプを、飛来室→中間室→捕集室、の順で点灯している。
【００１５】
このように点灯順序や照度を制御することにより、虫は、強い光に誘われて内部空間の奥部に効率よく誘導されるのである。その結果、簡単な構造でありながら、高い捕虫効率を確保できる。また、虫を殺す高圧電源や虫を吸引するファンは不要であるため、構造を著しく簡単化できると。また、消費電力も僅かでよいため、請求項５のような太陽電池による駆動を実現して省エネにも貢献できる。
【００１６】
請求項３の変形例として、全ランプは点灯させつつ、内部空間の奥部に向けてランプの照度が高くなるように制御することによっても、虫を捕集室に向けて誘導することができる。点灯の制御と照度の制御とを組み合わせることも可能である。また、照度の制御は、１個のランプ（チップ）について電圧等を変更してランプ自体の発光量を変更する場合と、複数のランプを一群の光源として、点灯するランプの数を変えることで群全体の明るさを変更する場合とがあり、本願発明は両方を含んでいる。
【００１７】
請求項３のように３つの室がある場合、室と室とを繋ぐ連通部にランプを配置することも可能であり、従って、室の数とランプの配置位置数は相違していてもよい。また、例えば３つの室を有する場合、捕集室のランプが点灯している状態で飛来室のランプも点灯させることは可能であり、１つの室のみでランプを点灯させるという必然性はない。
【００１８】
ランプの群の点灯タイミング（或いは照度の変更タイミング）は、様々に設定できる。単純には、シーケンス回路により、所定時間が経過したら次のランプが点灯するように、点灯と消灯とをセットにして、内部空間の入口部から奥部に向けて１つ又は一群のランプを順番に点灯させていったらよい。虫の位置をセンサで検知して、ある位置に虫が飛来したら次のランプを点灯させるという個別制御も可能である。
【００１９】
請求項２の構成を採用すると、虫の後戻りを防止又は著しく抑制できるため、ランプによる誘導効果がサポートされる。このため、捕虫性能を一層向上できる。
【００２０】
虫が後戻りできないトラップ構造は様々に具体化できるが、過度に複雑化すると製造コストが嵩んでしまう。この点、請求項３の３室構造を採用すると、簡単な構造で虫の後戻りをほぼ遮断できると解される。従って、低いコストで高い効果を挙げることができると云える。
【００２１】
ハウジングは不透明な材料で製造することも可能であるが、この場合は、虫をおびき寄せる光はハウジングに空けた窓穴から漏れる光しかないため、虫をハウジングに呼び寄せる効果が必ずしも高くないおそれがある。これに対して請求項４のようにハウジングに透光性を持たせると、ハウジングの全体が光るため、ハウジングが虫の目につきやすくなって、虫の呼び寄せ効果を向上できると云える。
【００２２】
また、虫は明るい環境を好む（このため光に寄ってくる）が、請求項４のようにハウジングが透光性をもっていると、ハウジングの内部空間は、いずれかのランプが点灯していることにより、虫にとって居心地がよい明るい環境になっているため（場所によって照度の違いはあるが。）、ハウジングに侵入した虫がハウジングから飛び出していくことを抑制して、ランプに誘導されて奥に向かうことを促進できるといえる。
【００２３】
ランプとしては、消費電力抑制の点からＬＥＤランプや有機ＥＬを使用するのが好適である。そして、ランプの電源は電池を使用することも可能であるが、省エネの観点からは太陽光パネルを使用するのが好ましい。この場合、太陽光パネルをハウジングに一体的に設けることも可能であるが、この場合は、太陽光パネルの面積が制限を受けて十分な発電量を確保し難くなるおそれや、虫が入り込む穴の配置位置が太陽光パネルによって制限を受けて虫の集まりが悪くなるおそれ、或いは、ハウジングの配置位置によっては太陽光の照射が悪くて発電効率が低くなってしまうおそれなどの問題が懸念される。また、太陽光パネルの面積を大きくすると、ハウジングが必要以上に大型化するおそれがある。
【００２４】
これに対して、請求項５のように太陽光パネルをハウジングとは別体に構成すると、太陽光パネルは配置位置や大きさを自由に設定できるため、高い発電効率と必要な発電量とを確保することができる。また、ハウジングに虫が入り込む窓穴を設けるにおいて、窓穴の位置や大きさについて設計の自由性を向上でき、結果として、捕虫性能の向上にも貢献できる。また、ハウンジグは必要最小限度の大きさで足りるため、ハウンジグをコンパクト化することもできる。
【図面の簡単な説明】
【００２５】
【図１】第１実施形態の斜視図である。
【図２】図１のII-II 視断面図である。
【図３】（Ａ）は図１のIIIA-IIIA 視断面図、（Ｂ）は図１のIIIB-IIIB 視断面図、（Ｃ）は図１のIIIC-IIIC 視断面図である。
【図４】第２実施形態を示す図で、（Ａ）は縦断面図、（Ｂ）は（Ａ）のＢ−Ｂ視断面図、（Ｃ）は（Ａ）のＣ−Ｃ視断面図である。
【図５】第３実施形態を示す図で、（Ａ）は平断面図、（Ｂ）は（Ａ）のＢ−Ｂ視断面
【図６】第４実施形態を示す図で、（Ａ）は平断面図、（Ｂ）は（Ａ）のＢ−Ｂ視断面図である。
【発明を実施するための形態】
【００２６】
(1).第１実施形態の構造
次に、本願発明の実施形態を図面に基づいて説明する。まず、図１〜３に示す第１実施形態を説明する。捕虫器は、その外観を構成するハウジング１を備えている。ハウジング１は合成樹脂製であり（板金加工品のような金属製でもよい。）、全体を不透明な材料で構成したり、透明又は半透明としたり、乳白色等の透光性としたりすることができる。なお、図２ではハウジング１を一体の構造に描いているが、実際には複数の部材で構成されている。
【００２７】
ハウジング１は、天板２と底板３とを有する円筒形であり、図２に示すように、内部に上下２段の仕切り板４，５が配置されていて、ハウジング１の内部空間は、上から順に、飛来室６、中間室７、捕集室８に区切られている。なお、飛来室６を第１室、中間室７を第２室、捕集室８を第３室と呼ぶことも可能であり、内部空間を４段以上に仕切る場合は、このような呼び方が判りやすいといえる。
【００２８】
飛来室６は虫が最初に入り込む室であり、周壁と天板２とに、虫Ｍが入り込む多数の窓穴９が空いている。上仕切り板４はその一部が切除されていて、飛来室６と中間室７とは、隘路状の上部連通穴１０を介して繋がっている。窓穴９は、上部連通穴１０の近傍部を除いた部位に設けることも可能である。
【００２９】
下仕切り板５のうち上部連通穴１０と反対側の部位には、下向きに窄まった漏斗形の下部連通穴１１が形成されており、中間室７と捕集室８とは下部連通穴１１を介して繋がっている。従って、ハウジング１の内部空間は、全体としてジグザグ状のトラップ通路になっていると共に、隣り合った室の連通穴１０，１１は断面積が狭くなった隘路になっている。なお、連通穴１０，１１はそれぞれ複数ずつ設けることも可能である。配置位置も任意に設定できる。
【００３０】
捕集室８の外周部は略半分が切除されており、上向きに開口した引出し式の捕集体１２を横から挿脱できるようになっている。捕集体１２は略円形であり、摘み１３を設けている。捕集体１２は単に捕集室８に挿入しただけでもよいが、弾性変形するスナップ部材を使用して、捕集室８に係止できるようにするのが好ましい。
【００３１】
ハウジング１は、そのまま地面等に載置することもできるし、一点鎖線で示すように、３本又は４本の脚１４を設けて地面等に載置できるようにしたり、二点で示すように、吊り手１５を設けて植木や軒先等に吊り懸けることも可能である。
【００３２】
(2).第１実施形態の点灯構成
ハウジング１の内部には、虫Ｍを呼び寄せて捕集室８に集めるためのＬＥＤのランプ１７〜２２の群と、これを制御する制御ユニット２３とを備えている。ランプ１７〜２２は、チップをモールド部で封止した砲弾形になっている。敢えて述べるまでないが、各ランプ１７〜２２はケーブルで制御ユニット２３に接続されている。ランプ１７〜２２からは紫外線が照射される。制御ユニット２３は、バッテリーや回路基板などを備えている。制御ユニット２３は天板２の中央部下面に設けているが、他の部位に設けてもよい。
【００３３】
本実施形態では、ランプ１７〜２２の電源としての太陽光パネル２４を備えている。太陽光パネル２４はハウジング１とは別体になっており、三脚式等の脚装置２５で地面に自立させたり、図示しないブラケットを介して建物や塀などに取付けたりすることができる。太陽光パネル２４は四角形に表示しているが、円形等の任意の形状を選択できる。また、大きさは任意に設定できるが、ランプ１７〜２２を一晩中使用し得る電力を発電できる面積に設定している。ヒンジによって折り畳みできる方式を採用することも可能である。
【００３４】
太陽光パネル２４と制御ユニット２３とは電源ケーブル２６で接続されており、電源ケーブル２６は、着脱自在なプラグ２７を介してハウジング１に接続されている。なお、ハウジング１や太陽光パネル２４に自立用の脚１４，２５を設ける場合、高さは固定式でもよいし、調節可能な方式でもよい。
【００３５】
図２及び図３（Ａ）のとおり、飛来室６には、上部連通穴１０の近くの内周面に位置した第１ランプ１７が配置されている。第１ランプ１７は、その光軸が飛来室６を横切るようにして配置されている。なお、ランプ１７は、天板２の下面のみに設けたり、制御ユニット２３の下面又は外周面に設けたり、或いは、内周面のみに設けたりすることも可能であり、また、複数個設けることも可能である。
【００３６】
図２及び図３（Ｂ）のとおり、中間室７には、底面のうち上部連通穴１０の真下部に第２ランプ１８が配置されて、その内周のうち上部連通穴１０に近い部位に第３ランプ１９を配置している。第２ランプ１８の光軸は上部連通穴１０を向いており（真上を向いており）、第３ランプ１９の光軸は、中間室７を横切って上部連通穴１０の下方部を向いている。
【００３７】
図２及び図３（Ｃ）に示すように、捕集室８の内部には、捕集体１２の底面に位置して光軸を下部連通穴１１に向けた第４ランプ２０と、内周面のうち下部連通穴１１と反対側に位置した第５ランプ２１と、捕集体１２の底面のうち下部連通穴１１に位置した第６ランプ２２とが配置されている。第５ランプ２１の光軸は下部連通穴１１の方を向いており、第６ランプ２２の光軸は上向きになっている。第５，６ランプ２１，２２は捕集体１２に設けているので、捕集体１２とハウジング１とには、電源線の導通手段を設けている。
【００３８】
(3).まとめ（点灯制御）
各ランプ１７〜２２はＬＥＤであるが、ＬＥＤランプは光の指向性が高い点に特徴があり、各ランプ１７〜２２の光は、図２に点線で示すように、各ランプ１７〜２２の軸線方向に強く照射されている。本実施形態は、このようなＬＥＤランプの照射指向性を利用している。つまり、虫Ｍは、強く光っているランプ１７〜２２に向かって飛んでくるのであり、この習性を利用して虫Ｍを捕集室８（捕集体１２）に誘導している。
【００３９】
そして、実施形態の捕虫器では、ランプ１７〜２２の点灯を制御することにより、虫Ｍをハウジング１の内部空間に誘い込んでから捕集室８に誘導し、捕集室８で力尽きて死滅させる。この点灯制御方法は、次に例示するような様々なパターンを採用できる。
【００４０】
［パターン例１］
ハウジング１の全体に透光性を持たせている場合において、予め設定した所定時間全ランプ１７〜２２を点灯し続けてから、所定の時間間隔で、第１ランプ１７→第２ランプ１８→第３ランプ１９→第４ランプ２０→第５ランプ２１→第６ランプ２２の順で消灯していき、全ランプ１７〜２２が消灯して所定時間が経過したら、全ランプを点灯させる。このパターンを繰り返す。
【００４１】
このパターン例１において、虫Ｍはハウジング１に集まって窓穴９から飛来室６に入り込むが、第１ランプ１７が上部連通穴１０の近くに位置していることにより、虫Ｍの多くは上部連通穴１０の近くで飛び回っている。
【００４２】
そして、ランプ１７〜２２が順番で消灯することにより、ハウジング１の内部空間の奥に向けて光のガイドが形成されるため、虫Ｍは、強く光っているランプ１７〜２２に順番に導かれて捕集室８に至り、捕集室８のうち下部連通穴１１から第５，６ランプ２１，２２の近くでぐるぐると飛び回り、やがて力付きて捕集体１２に溜まっていく。
【００４３】
全ランプ１７〜２２が点灯することにより、捕集室８にいた虫Ｍの一部が飛来室６に向けて後戻りすることも想定されるが、第５，６ランプが下部連通穴１１から遠い箇所で強く光っていることと、第２連通穴１１が漏斗状の隘路になっていて、捕集室８から中間室７への後戻りが困難であることとにより、第２連通穴１１を通過して後戻りする虫Ｍは殆どないか、あっても僅かであるといえる。捕集室８のみを非透光性に構成しておくと、第５，６ランプ２１，２２を消灯すると捕集室８は暗くなって虫Ｍは飛び回りにくくなるため、後戻りの防止にとって有益であると解される。
【００４４】
捕集室８のみを非透光性に構成した場合、上記とは逆に、第６ランプ２２のみ又は第５，６ランプ２１，２２の両方を常時消灯しておくことも可能である。この場合は、虫Ｍは下部連通穴１１から中間室７に逆戻りすることはないため、下部連通穴１１を必ずしも漏斗形に形成する必要はない。
【００４５】
上記のとおり、各ランプ１７〜２２がいわば虫Ｍを呼び寄せる道標となって誘導路が形成されているため、各ランプ１７〜２２が点灯している状態でも、虫Ｍは、各ランプ１７〜２２の光に誘われて、飛来室６から捕集室８に向けて誘導作用を受けると云える。従って、点灯し続けている状態でも、相当数の虫Ｍは捕集室８に向かうと想定される。
【００４６】
例えば第１ランプ１７を消灯すると、第２ランプ１８の照射方向が明瞭になって、虫Ｍにとって第２ランプ１８の位置が明瞭になって、第２ランプ１８への誘引作用が強く発揮されると云える。第３〜第６ランプ１９〜２２も同様である。従って、本実施形態では、ＬＥＤランプの照射指向性を有効活用して、高い捕虫効率を実現することも可能になる。なお、消灯に代えて照度を低下させても、同様の効果を享受できる。
【００４７】
［パターン例２］
ハウジング１の全体に透光性を持たせているか、又は、ハウジング１が透光性でない場合において、第１，２ランプ１７，１８を所定時間点灯させる第１ステップ、第１ランプ１７は消灯して第２ランプ１８を点灯させ続けて第３ランプ１９を点灯する第２ステップ、所定時間が経過したら、第２，３ランプ１８，１９は消灯して第４ランプ２０を点灯する第３ステップし、次いで、所定時間が経過したら、第４ランプ２０は消灯して第５ランプ２１を点灯する第４ステップ、所定時間が経過したら第５ランプ２１は消灯して第６ランプ２２を点灯する第５ステップ、所定時間が経過したら第６ランプ２２を消灯する第６ステップを繰り返す。第５ステップを省略して、第４ステップで第５ランプ２１と第６ランプとを点灯させてもよい。
【００４８】
このパターン２は、ランプ１７〜２２をハウジング１の奥部に向けて次々に消灯・点灯して虫Ｍを捕集室８に誘導していくものであるが、その変形例として、例えば、第５ランプ２１を点灯させる段階で第１，２ランプ１７，１８を点灯させることにより、飛来室６への虫Ｍの入り込みを促進することも可能である。すなわち、いったん入り込んだ虫Ｍが後戻りできない状態に至ったら、飛来室６を明るくして虫Ｍの張り込みを促進するのである。この場合、捕集室８のみを非透光性に構成したり、ハウジング１の全体を非透光性に構成したりすると、捕集室８への虫Ｍのガイドと飛来室６への入り込み促進とを同時並行的に行いやすいといえる。
【００４９】
［パターン例３］
ハウジング１の全体に透光性を持たせている場合において、全ランプ１７〜２２を点灯させて所定時間を経過してから、第２ランプ１８のみを点灯して他のランプは消灯し、次いで、第３ランプ１９、第４ランプ２０、第５ランプ２１、第６ランプ２２の順に１つのランプのみを点灯させて、ハウジング１の内部空間に、ランプ１８〜２２に向かう光のガイドを形成する。
【００５０】
ハウジング１の全体が非透光性である場合は、第１，２ランプ１７，１８のみを点灯した状態を出発段階として、第３ランプ１９、第４ランプ２０、第５ランプ２１、第６ランプ２２の順に１つのランプのみを点灯させたらよい（第５，６ランプ２１，２２は一緒に点灯させてもよい。）。この場合も、虫が後戻りできない状態に至ったら、第１ランプ１７は点灯させて虫の入り込みを促進させるのが好ましい。
【００５１】
［パターン例４］
ハウジング１の全体が透光性である場合において、全ランプ１７〜２２を点灯させつつ、所定の時間間隔で光の強さを奥部に向けて強くしていくことも可能である。単純な例では、第２ランプ１８から第６ランプ２２の順に、１つのランプのみの強さを強くしていくことが考えられる。
【００５２】
［パターン例５］
ハウジング１の全体が非透光性である場合において、飛来室６の第１ランプ１７のみを点灯させておいから、第１ランプ１７を消灯して第２，３ランプ１８，１９を点灯させ、次いで、第２，３ランプ１８，１９を消灯して第４〜６ランプ２０〜２２を点灯させる。これは室を単位にしてランプ１７〜２２の点灯を制御するものである。第２，３ランプ１８，１９を消灯してから第４ランプ２０を点灯させ、次いで、第４ランプ２０を消灯してから第５，６ランプ２１，２２を点灯させてもよい。また、第５，６ランプ２１，２２を点灯させてある程度の時間が経過したら、第１ランプ１７を点灯させて虫を呼び寄せることも可能である。
【００５３】
ハウジング１の全体が透光性である場合、虫Ｍの飛来を促進することを目的として、全ランプ１７〜２２の照度を短い時間間隔で強くしたり弱くしたり変化させることや、各ランプ１７〜２２を点滅させることも可能である。ハウジング１の全体が非透光性である場合は、第１ランプ１７のみを点灯して照度を変化させたらよい。
【００５４】
以上のパターンはランプ１７〜２２の制御の僅かの例であり、他にも様々なパターンを採用できる。また、捕集体１２は、紙製等の使い捨てカートリッジ方式にすることも可能である。或いは、捕集体１２を樹脂製や金属製にして、水を入れておくことも可能である（水に砂糖や酒類のような虫の好物を添加しておくと、より好適である。）。なお、仕切り板４，５を回路基板に兼用することも可能である。
【００５５】
(4).第２実施形態
次に、図４に示す第２実施形態を説明する。この実施形態は、第１実施形態と同様に、ハウジング１は、飛来室６と中間室７と捕集室８との３つの室に区画されているが、ハウジング１が、円筒状の外筒３０と、その上部に嵌まった上蓋３１と、上仕切り板４が形成された上インナーリング３２と、下仕切り板５が形成された下インナーリング３３とで構成されている。
【００５６】
捕集体１２は外筒３０の内部に下方から嵌まっており、捕集体１２を下から台３４で受けるようになっている。捕集体１２はハウジング１にクリップ等で係止することも可能であるし、単に嵌め合わせただけでよい。ハウジング１を吊り下げて使用する場合は、捕集体１２は外筒３０に係止しておく必要がある。捕集体１２を外筒３０にねじ込むことも可能である。
【００５７】
外筒３０の上部は厚肉部３０ａになっており、厚肉部３０ａと上蓋３１とに窓穴９が空いている。また、上インナーリング３２の上端は、厚肉部３０ａの下端に当接している。厚肉部３０ａの上部には小径部３０ｂが形成されており、小径部３０ｂに上蓋３１の筒部が外側から嵌着している。
【００５８】
この実施形態では、上インナーリング３２の一部を下向きに傾斜させて、上インナーリング３２と協働して漏斗状の上部連通穴１０を形成している。従って、上部連通穴１０も虫Ｍが後戻りしにくい構造になっている。下部連通穴１１も、下インナーリング３３の傾斜部と下部インナーリング３３とが協働した漏斗状の形態になっている。
【００５９】
制御ユニット２３の下端に第１ランプ３５を設け、上部連通穴１０の箇所に上下複数段の第２ランプ３６を設け、下部連通穴１１の箇所に上下複数段の第３ランプ３７を設け、下部仕切り板５の下面と、下部インナーリング３３のうち下部連通穴１１から遠い部位とに第４ランプ３８とを設けている。各ランプ３５〜３８は角形に描いているが、第１実施形態のように砲弾形であってもよい。
【００６０】
この第２実施形態では、外筒３０と上蓋３１、インナーリング３２，３３の全体に透光性を持たせることも可能であるし、全体を非透光性とすることも可能である。或いは、外筒３０と上蓋３１は非透光性にして、上下のインナーリング３２，３３に透光性を持たせることも可能である。この実施形態でも、例えば、第１〜第４のランプ３５〜３８を順番に点灯したり、照度を奥部に向けて強くしたりすることにより、虫Ｍを捕集体１２に導くことができる。
【００６１】
図４の実施形態では、外筒３０における厚肉部３０ａの下端と、上インナーリング３２の上端と下端、及び、上インナーリング３２の上端にそれぞれ電源線の接点を設けておいて、インナーリング３２，３３をセットすると接点が導通するように設定することができる。これにより、結線作業を不要にして、組み立てを簡単化できる。
【００６２】
(5).第３実施形態
図５に示す第３実施形態では、ハウジング１は中空ドーナツ部３９を有していて、中空ドーナツ部３９で囲われて内部に上向き開口の捕集室８が形成されており、捕集室８に捕集体１２を上から挿入している。捕集体１２は、ヒンジにてハウジング１に開閉自在に連結された蓋４０で塞がれている。捕集室８は、飛来室６及び中間室７よりも下方まで延びており、飛来室６及び中間室７の下方に位置した部位に捕集体１２を挿入している。
【００６３】
中空ドーナツ部３９は、４枚の放射状仕切り板４１で４つのエリアに区画されており、各エリアが、環状仕切り板４２で飛来室６と中間室７とに仕切られている。環状仕切り板４２の一部を切除することによって第１連通穴１０が形成されている。また、中空ドーナツ部３９の外周部を切除することにより、外部に開口した窓穴９が形成されており、中空ドーナツ部３９の内周部を切除することにより、中間室７と捕集室８とを繋ぐ第２連通穴１１が形成されている。
【００６４】
飛来室６に第１ランプ４３を設け、中間室７のうち第１連通穴１０の近くに第２ランプ４４を設け、中間室７のうち第２連通穴１１の近くに第３ランプ４５を設け、捕集室８に第４ランプ４６を設けている。第４ランプ４６は蓋４０の下面に設けている。本実施形態では、捕集室８は中間室７の下方まで延びているが、捕集室８のうち中間室７の下方に位置した部位にもランプを配置することは可能である。
【００６５】
この第３実施形態でも、ＬＥＤランプの照射指向性を利用して、虫Ｍを誘導する光の道を形成している。従って、ランプ４３〜４６を内部空間の奥部に向けて点灯（又は消灯）していったり、照度を内部に向けて強くしていったりする制御することにより、窓穴９に入り込んだ虫を捕集室８に効率よく集めることができる。
【００６６】
分図（Ｂ）に一点鎖線で示すように、捕集体１２に漏斗状の戻り防止部４７を設けることも可能である。この実施形態では、中空ドーナツ部３９は、上下に分離した２つパーツで製造されており、重ね合わせて固定して中空構造になっている。この例も、ハウジング１の全体に透光性を持たせることは可能である。図示の例では、中空ドーナツ部３９の内部を４つのエリアに分けたが、幾つのエリアに分けるかは、大きさ等に応じて任意に設定できる。
【００６７】
第１実施形態において仕切り板４，５を回路基板に兼用することに言及したが、この第３実施形態でも、ハウジング１の要素の一部を回路基板で構成する（或いは、要素の一部を回路基板に兼用する）ことは可能である。
【００６８】
例えば、ハウジング１の下板を回路基板で構成し、この基板上の上面にランプの群と駆動回路とを実装し、基板の上に、当該基板と協働して室を形成する容器状の上部材を装着固定することが可能である。
【００６９】
或いは、ハウジング１の内部をドーナツ状の回路基板で上下に仕切ることにより、回路基板の上下両側に各室６，７，８を形成して、回路基板とその上下の部材とをサンドイッチ状に固定して中空ハウジングを形成して、回路基板の上下両面に、ＬＥＤランプを配置すると共に駆動回路を形成することが可能である。いずれにしても、電源はジャックなどで外部から（太陽光パネルから）から供給したらよい。このようにハウジング１の一部を回路基板で構成することにより、簡易で安価な捕虫器を製造することができる。の実施形態では、ランプの指向性を利用して虫Ｍの誘導を諮っているが、第１実施形態と同様に、虫Ｍがランプに向けて飛んでくるように構成することも可能である。
【００７０】
(6).第４実施形態
図６に示す第４実施形態は、図５と同様にハウジング１は中空ドーナツ部３９を備えており、中空ドーナツ部３９の底面は回路基板６０で構成されている。この実施形態では、中空ドーナツ部３９の内部は、第１〜第４の壁４８ａ〜４８ｄで周方向に４等分されて、飛来室６、第１〜第３の中間室７ａ〜７ｃが形成されている。飛来室６の外周部には窓穴９が開口して、第２〜４の壁４８ｂ〜４８ｄには第１〜第３の連通穴４９，５０，５１が開口している。なお、中空ドーナツ部３９は、内部を２等分したり３等分したりするなど、内部の区分数は任意に設定可能である。
【００７１】
また、中空ドーナツ部３９の中央部は第４中間室７ｄになっていて、第３中間室７ｃと第４中間室７ｄとは第４連通穴５２によって繋がっている。第４中間室７ｄの下面には第５連通穴５３が空いており、中空ドーナツ部３９は、その全体が下方から捕集体１２で覆われている。本実施形態では、捕集体１２によって捕集室８が形成されている。第５連通穴５３は、第４中間室７ｄの内径よりも小径になっている。
【００７２】
各室６〜７ｄには、第１〜第５のランプ５４〜５８を設けている。第１〜第４のランプ５４〜５７は回路基板６０の上面に配置（実装）されており、第５ランプ５８は第４中間室７ｄの内周面に設けている。また、回路基板６０の下面のうち第５連通穴５３に近い部位には、第６ランプ５９を配置している。
【００７３】
回路基板６０の下面には、電池収容部６１と制御ユニット６２とを設けている。図では両者は分離して描いているが、一体化することも可能である。制御ユニット６２は、ランプ５４〜５９の駆動回路を内蔵している。なお、電池収容部６１には電池ホルダーを設けているが、これは回路基板６０に設けており、電池収容部６１は、電池ホルダーをカバーで覆った構成になっている。同様に、制御ユニット６２における駆動回路は回路基板６０に形成されており、カバーで覆うことで制御ユニット６２の外観を成している。
【００７４】
本実施形態において、中空ドーナツ部３９と捕虫体１２とは自在に脱着できる。また、従前の実施形態と同様に、ランプ５４〜５９を順次点灯させる等して制御することにより、虫Ｍを捕集室８（捕集室１２）に誘導することができる。
【００７５】
回路基板６０を透明体又は透光体で構成した場合において、第５ランプ５８を消灯して、第１ランプ５４から順次点灯を開始する、第１〜第４ランプ５４〜５７の点灯によって、捕集室８の天井面（回路基板６０の下面）に移動する発光部が発生し、虫Ｍは、捕集室８（捕虫体１２）の内部で、移動する発光部を追いかけて、やがて力尽きる。従って、特別な構造を設けることなく、虫の逆行を防止することができる。
【００７６】
本実施形態では中空ドーナツ部３９を周方向に４つに区画したが、中空ドーナツ部３９を複数に区画せずに１つのエリアとして複数のランプを周方向に配置した場合も、同様の効果を享受できると云える。また、回路基板６０を非透光性に構成することも可能であり、この場合は、第６ランプ５９を常時点灯させておいて、虫Ｍの逆戻りを防止することも可能である。
【００７７】
第４実施形態は、回路基板６０と、中空ドーナツ部３９の上部分と、捕集体１２との３つパーツで構成されており、構造は簡単である。従って、１シーズン等の使い捨て商品として提供することも可能である。このような使い捨ての場合は、捕集体１２は分離不能に保持することも可能である。また、使い捨であるのと否とに関係なく、ハウジングの外面等に照度センサーを設けて、暗くなってからランプの点灯が開始し、明るくなったら点灯が停止するように設定しておくのが好ましい。この点は他の実施形態も同様である。
【００７８】
(7).その他
以上、本願発明の実施形態を説明したが、本願発明は他にも様々に具体化できる。例えば、ハウジングは平面視円形に限らず、四角形や六角形等の角形なども採用できる。ＬＥＤランプは既述のとおり照射指向性が強いが、発光チップを覆っているモールド体にチタン粉末のような反射微粒子を混入しておくと、指向性を抑制してふんわりした照射状態を実現できる。
【００７９】
また、ハウジングの内面に、ランプの光を際立たせるため、反射塗料や反射テープなどの反射手段を設けてもよい。或いは、ハウジングの全体を透明等の透光性の材料で製造した場合において、一部に非透光性塗料を塗布することにより、内部のうち一部を非透光エリアとすることも可能である。ハウジングの内部の通路を渦巻き状に形成したり、単なる直線状に形成したりすることも可能である。
【産業上の利用可能性】
【００８０】
本願発明は、実際に捕虫器として具体化できる。従って、産業上利用できる。
【符号の説明】
【００８１】
１  ハウジング
４，５  仕切り板
６  内部空間の一部を構成する飛来室
７  内部空間の一部を構成する中間室
８  内部空間の一部を構成する捕集室
９  窓穴
１０  上部連通穴
１１  下部連通穴
１２  捕集体
１７〜２２  ランプ
２３  制御ユニット
２４  太陽光パネル
【図１】
2019004827.tif 000003
【図２】
2019004827.tif 000004
【図３】
2019004827.tif 000005
【図４】
2019004827.tif 000006
【図５】
2019004827.tif 000007
【図６】
2019004827.tif 000008